(57)【要約】  【課題】  フレームに裏蓋を固定する形状の写真立てにおいて、フレーム素材の脆性に関わらず裏蓋を簡易に固定できるようにすることを課題とする。  【解決手段】  写真を収容したフレームに裏面から蓋をする写真立ての裏蓋用固定構造として、前記フレームの裏面に形成される前記裏蓋が嵌入される凹部である裏蓋保持部と、板体と板体の表面から略垂直に突出する柱体とからなる固定体と、前記フレームの裏面に形成される前記裏蓋保持部の周囲に２以上形成される、前記柱体を嵌入固定する穴である固定体保持部とを設けた。【選択図】  図２
2006181281.tif 000002
【特許請求の範囲】
【請求項１】
写真を収容したフレームに裏面から蓋をする写真立ての裏蓋の固定構造であって、
前記フレームの裏面に形成される前記裏蓋が嵌入される凹部である裏蓋保持部と、
板体と板体の表面から略垂直に突出する柱体とからなる固定体と、
前記フレームの裏面に形成される前記裏蓋保持部の周囲に２以上形成される、前記柱体を嵌入固定する穴である固定体保持部と
を有する写真立て用裏蓋固定構造。
【請求項２】
前記柱体は円柱状もしくは円筒状であり、前記板体は前記柱体の側面の円周に添った回動位置の少なくとも一箇所において前記裏蓋に当接しない請求項１に記載の写真立て用裏蓋固定構造。
【請求項３】
前記柱体は前記フレームよりも柔らかい弾性変形可能な素材により形成される請求項１又は２に記載の写真立て用裏蓋固定構造。
【請求項４】
前記フレームはガラス、陶器又は磁器により形成される請求項１又は２に記載の写真立て用裏蓋固定構造。
【請求項５】
請求項１から４のいずれか１項に記載の写真立て用裏蓋固定構造を有する写真立て。
【発明の詳細な説明】
【技術分野】
【０００１】
本発明は写真立ての裏蓋を固定するための構造に関する。
【背景技術】
【０００２】
写真立ては、一般的に透明なガラスやプラスチックを前面に有するフレームに写真を入れ、裏蓋により写真を押さえている。この裏蓋をフレームに対して固定する方法として、通常は、ネジにより固定したり、裏蓋の側方のフレームに止め板を釘により回動するよう固定し、止め板により裏蓋を押さえることにより固定していた。
【発明の開示】
【発明が解決しようとする課題】
【０００３】
しかし、上記のように裏蓋を止めるためにネジや釘を用いると、フレームがガラスや陶器などの脆性材料でできている場合には割れてしまうという問題がある。このことは、ガラスや陶器などにより形成される写真立てを作ることに対する大きな制約となっていた。
そこで、本発明は、フレームに裏蓋を固定する形状の写真立てにおいて、フレーム素材の脆性に関わらず裏蓋を簡易に固定できるようにすることを課題とする。
【課題を解決するための手段】
【０００４】
上記課題を解決するために、本発明は次のような構成を有する。
請求項１に記載の発明は、写真を収容したフレームに裏面から蓋をする写真立ての裏蓋用固定構造として、前記フレームの裏面に形成される前記裏蓋が嵌入される凹部である裏蓋保持部と、板体と板体の表面から略垂直に突出する柱体とからなる固定体と、前記フレームの裏面に形成される前記裏蓋保持部の周囲に２以上形成される、前記柱体を嵌入固定する穴である固定体保持部とを有するものである。このような構造により、フレーム裏面の嵌入保持部に裏蓋を保持した後に、固定体の柱体が突出する側の板体の表面が裏蓋を押圧するように、嵌入保持部の周りに形成された固定体保持部に固定体の柱体を嵌入固定することで裏蓋を固定する。
請求項２に記載の発明は、前記写真立て用裏蓋固定構造において、前記柱体を円柱状もしくは円筒状とし、前記板体は柱体の側面の円周に添った回動位置の少なくとも一箇所において前記裏蓋に当接しないようにしたものである。
請求項３に記載の発明は、前記写真立て用裏蓋固定構造において、前記柱体は前記フレームよりも柔らかい弾性変形可能な素材により形成されるものである。
請求項４に記載の発明は、前記写真立て用裏蓋固定構造において、前記フレームはガラス、陶器又は磁器により形成されるものである。
請求項５に記載の発明は、上記の写真立て用裏蓋固定構造を有する写真立てである。
【発明の効果】
【０００５】
請求項１に記載の発明は、予め空いている固定体保持部に固定体の柱体を嵌め入れることで固定体の板体が裏蓋を押さえて固定するので、ネジや釘を用いる場合に比較して、フレームに係る応力を大幅に低減することができ、割れやすい素材に対しても使用することができる。また、嵌め入れる作業のみで固定できるので、ネジや釘よりも組立て時の作業効率を上げることもできる。
請求項２に記載の発明は、柱体の周面が円になるので柱体を固定体保持部の中で回動させることができ、前記板体が裏蓋を押さえない回動位置があるので、柱体を固定体保持部から引き抜くことなく、柱体を回動させて、板体が裏蓋を抑えない位置に移動させることで裏蓋を取り外すことができ、逆の操作により容易に裏蓋を取り付けることができる。
請求項３に記載の発明は、前記柱体を前記フレームよりも柔らかい弾性変形可能な素材により形成することにより、柱体を固定体保持部の穴よりも大きめに形成しても、フレーム側をほとんど変形させることなく、柱体が弾性変形により穴に嵌入できる。また、これにより柱体をより強く固定することができる。
請求項４に記載の発明は、前記フレームをガラス、陶器又は磁器により形成しても、裏蓋の固定による破壊の可能性が少なくなるので、従来のガラス等でできた写真立てよりもデザイン的な制約が少ないフレームを作成することができる。
請求項５に記載の発明は、写真立てに上記の写真立て用裏蓋固定構造を採用することで、使用材料の制約が少なくでき、また、組立て作業の効率化を図ることができる。
【発明を実施するための最良の形態】
【０００６】
以下、本発明の実施形態について、図面を参照しながら説明する。
図１に本発明の実施形態に係る写真立て用裏蓋固定構造Ｘを有する写真立てＹの裏面図を示す。写真立てＹは、陶器製の扁平な直方体状のフレーム１０の裏面に裏蓋２０を固定する構造を有するものであり、フレーム１０の図示しない表面側には写真を表出させるようにガラス製の透明板がはめ込まれている。裏蓋２０は合成樹脂製の長方形の板材であり、写真立てＹを平面上に立てるための折りたたみ可能な足２１が設けられている。
図２に図１のＡ−Ａ断面図を示す。写真立て用裏蓋固定構造Ｘは、フレーム１０の裏面に形成される裏蓋２０が嵌入される凹部である裏蓋保持部１１と、一方側が細くなっている小判型の板体３２と、板体３２の表面の偏芯した位置から略垂直に突出する円筒状の柱体３１とからなる裏蓋２０を押さえるための固定体３０と、フレーム１０の裏面の前記裏蓋保持部１１の周囲に設けられる固定体３０の柱体３１を嵌入固定する穴である固定対保持部１２とから構成される。固定体３０は、フレーム１０を形成する陶器よりも柔らかく弾性力のある合成樹脂で作られており、ここでは、ポリエチレンが用いられる。また、固定体保持部１２は、ここでは６個設けられている。
【０００７】
写真立て用裏蓋固定構造Ｘの使用方法について以下に説明する。図３（ａ）に固定体３０を固定していない状態の固定体保持部１２近傍の拡大斜視図を示す。まず、最初に裏蓋２０をフレーム１０に固定する際には、裏蓋２０をフレーム１０の裏蓋保持部１１に嵌入し、その後、固定体３０の柱体３１を固定体保持部１２に差込み、図３（ｂ）に示すように、固定体３０の板体３２が裏蓋２０の表面に当接するように押し込む。すべての、固定体３０を固定体保持部１２に固定することで、裏蓋２０を固定することができ、図１に示すような状態となる。ここで、固定体３０はフレーム１０を形成する陶器よりも柔らかく弾性力のある合成樹脂でできているので、柱体３１を陶器製のフレーム１０の固定体保持部１２に嵌入しても、柱体３１が変形し、固定体保持部１２が割れることはほとんどない。
次に裏蓋２０を取り外す場合について説明する。裏蓋２０を取り外す際には、固定体３０の板体３２を柱体３１の中心軸周りに回動させる。柱体３１は板体３２表面の偏芯した位置に設けられているので、回動させることで図３（ｃ）に示すように板体３２が裏蓋２０を押圧しない位置に移動させることができる。すべての固定体３０をこの位置に回動させることで裏蓋２０を押さえるものがなくなるので、裏蓋２０はフレーム１０から簡易に取り外すことができる。この状態から裏蓋２０を取り付ける場合は、逆の操作によって、裏蓋２０をフレーム１０の裏蓋保持部１１に嵌入して、すべての固定体３０の板体３２を回動させて裏蓋２０に当接するようにすればよい。
【図面の簡単な説明】
【０００８】
【図１】実施形態に係る写真立て用裏蓋固定構造を有する写真立ての裏面図である。
【図２】図１のＡ−Ａ断面図である。
【図３】（ａ）は固定体を固定していない状態の固定体保持部近傍の拡大斜視図であり、（ｂ）は固定体を固定した状態の固定体保持部近傍の拡大斜視図であり、（ｃ）は固定体を固定したまま回動させた状態の固定体保持部近傍の拡大斜視図である。
【符号の説明】
【０００９】
Ｘ  写真立て用裏蓋固定構造
Ｙ  写真立て
１０  フレーム
１１  裏蓋保持部
１２  固定体保持部
２０  裏蓋
３０  固定体
３１  柱体
３２  板体
【図１】
2006181281.tif 000003
【図２】
2006181281.tif 000004
【図３】
2006181281.tif 000005